(57)【要約】      （修正有）【課題】製作を容易にし、生徒も卒業アルバムの中から好きな写真を自由に選択することができる卒業アルバムを提供する。【解決手段】卒業アルバムは、アルバム用の台紙１０Ａに写真が印刷された本体１０と、スナップ写真のデータが保存された画像管理サーバとを備える。アクセスキー２１が表示されたキーカード２０を本体１０に設ける。アクセスキー２１を介してネットワークに接続された画像管理サーバにアクセスする。本体１０の台紙１０Ａに生徒の集合写真や校舎の外観等を印刷する。画像管理サーバに各生徒のスナップ写真のデータを多数保存する。【選択図】図３
0003234975.tif 000002
【実用新案登録請求の範囲】
【請求項１】
アルバム用の台紙に写真が印刷された本体と、ネットワークを介して接続された画像管理サーバにアクセスするアクセスキーが表示されたキーカードと、を備えた卒業アルバムであって、前記本体に校舎等の外観や生徒の集合写真が印刷され、前記画像管理サーバに各生徒のスナップ写真が保存されたことを特徴とする卒業アルバム。
【請求項２】
前記本体に、各クラスの生徒・担任・副担任からなる前記集合写真の他、校舎、校長・教頭・担任・関係者などの写真、あるいは、入学式、卒業式、体育祭、文化祭、修学旅行・クラブ活動等の学校行事に関する前記集合写真が印刷された請求項１記載の卒業アルバム。
【請求項３】
前記画像管理サーバに、入学式、卒業式、体育祭、文化祭、修学旅行・クラブ活動等の学校行事に関するスナップが画像データとして保存された請求項１記載の卒業アルバム。
【請求項４】
前記キーカードは、前記本体に設けられ又は前記本体と別体に形成された請求項１記載の卒業アルバム。
【請求項５】
前記台紙に、個人で印刷した写真を保存するように構成された追加保存用の前記台紙を備えた請求項１記載の卒業アルバム。
【考案の詳細な説明】
【技術分野】
【０００１】
本考案は、卒業アルバムの製作を容易にし、生徒は好きな写真を選ぶことができる卒業アルバムに関するものである。
【背景技術】
【０００２】
毎年、卒業シーズンになると、職員や業者等の卒業アルバムの製作担当者が、毎年の写真の中から印象的な写真を選択するなどして卒業アルバムを作成している。このとき、個々の生徒が写っているスナップ写真では、写真を選択する場合に特定の生徒の掲載回数が偏らないように、各生徒の写っている枚数を各写真の中からカウントする作業が必要になっている。
【０００３】
すなわち、卒業アルバムの製作には、掲載用に選択した多数の写真の中から、生徒一人一人の写っている回数を正の字を書きながらカウントし、特定の生徒の写真が多くならないように調整するといった極めて手間のかかる確認作業を要している。
【０００４】
一方、特殊な卒業アルバムとして、卒業アルバムをデータ化し、インターネットを介して閲覧できるシステムが特許文献１、２に記載されている。
【０００５】
特許文献１に記載の記念アルバムの掲載システムは、個人専用のデータベースの中で卒業アルバムのデータを閲覧できるように構成したシステムである。
【０００６】
また、特許文献２に記載の天使アルバムシステムにおいても、既存の卒業アルバムをデータに変換し、特定サイトで限られたクラスメートが閲覧できるようにしたシステムである。
【先行技術文献】
【特許文献】
【０００７】
【特許文献１】特許第５９１８８９１号公報
【特許文献２】特開２００７-１３３７２６号公報
【考案の概要】
【考案が解決しようとする課題】
【０００８】
これまでの卒業アルバムのように、生徒一人一人の写っている回数を正の字を書きながらカウントするといった作業は、極めて手間のかかる確認作業になっている。そのため、このような確認作業が不要な卒業アルバムが求められている。
【０００９】
一方、特許文献１、２に記載のように卒業アルバムをデータ化した後で特定サイトで閲覧できるようにしたものでは、データ化した後の卒業アルバムを、インターネットを介して共有化することは可能であっても、データ化する前の卒業アルバムを従来通り製作する必要がある。したがって、卒業アルバムを製作する際に、生徒一人一人の写っている回数を正の字を書きながらカウントするといった作業は旧態依然のままである。
【００１０】
そこで本考案は、上述の課題を解消すべく案出されたもので、生徒の写真を正の字でカウントする作業を不要にすることで、職員等による卒業アルバムの製作を容易にし、生徒においてもデータ化されている写真の中から好きな写真を自由に選択することができる卒業アルバムの提供を目的とする。
【課題を解決するための手段】
【００１１】
上述の目的を達成すべく本考案における第１の手段は、アルバム用の台紙に写真が印刷された本体１０と、ネットワーク１を介して接続された画像管理サーバ２にアクセスするアクセスキー２１が表示されたキーカード２０と、を備えた卒業アルバムであって、前記本体１０に校舎等の外観や生徒の集合写真１１が印刷され、前記画像管理サーバ２に各生徒のスナップ写真が保存されたものである。
【００１２】
第２の手段は、前記本体１０に、各クラスの生徒・担任・副担任からなる前記集合写真１１の他、校舎、校長・教頭・担任・関係者などの写真、あるいは、入学式、卒業式、体育祭、文化祭、修学旅行・クラブ活動等の学校行事に関する集合写真１１が印刷されている。
【００１３】
第３の手段は、前記画像管理サーバ２に、入学式、卒業式、体育祭、文化祭、修学旅行、クラブ活動等の学校行事に関するスナップが画像データとして保存される。
【００１４】
第４の手段の前記キーカード２０は、前記本体１０に設けられ又は前記本体１０と別体に形成されたものである。
【００１５】
第５の手段の前記台紙１０Ａは、個人で印刷した写真を保存するように構成された追加保存用の台紙１０Ａを備えているものである。
【考案の効果】
【００１６】
本考案の請求項１によると、本体１０に生徒の集合写真１１や校舎等の外観等が印刷され、画像管理サーバ２に生徒のスナップ写真が保存されているので、生徒各人が写っているスナップ写真は本体１０に掲載されていない。この結果、従来の卒業アルバムのように、生徒一人一人の写っている回数を正の字を書きながらカウントするといった作業が一切不要になった。この結果、職員等による卒業アルバムの製作を極めて容易にすることができる。
【００１７】
また、各生徒はキーカード２０を介して画像管理サーバ２にアクセスし、この画像管理サーバ２内に管理保存されている複数のスナップ写真の中から自由に選択し、好みの写真を閲覧することができる。しかもスナップ写真の数は、従来の卒業アルバムの頁数に限定されることがなくなり、大量のスナップ写真の中から好みの写真を選択することが可能になる。
【００１８】
請求項２のように、本体１０に、各クラスの生徒・担任・副担任からなる前記集合写真１１の他、校舎、校長・教頭・担任・関係者などの写真、あるいは、入学式、卒業式、体育祭、文化祭、修学旅行・クラブ活動等の学校行事に関する集合写真１１が印刷されているので、この本体１０を介して従来の卒業アルバムのように、生徒が卒業した学校のイメージや雰囲気、あるいは生徒に共通する思い出などに触れる写真を閲覧することができる。
【００１９】
請求項３のごとく、画像管理サーバ２に、入学式、卒業式、体育祭、文化祭、修学旅行・クラブ活動等の学校行事に関するスナップ写真が画像データとして保存されているので、各生徒に関する夫々の思い出もより多く閲覧することが可能になる。
【００２０】
請求項４のように、アクセスキー２１が表示されたキーカード２０を本体１０に印刷した場合、キーカード２０の紛失を防止することができる。また、キーカード２０を本体１０と別体に形成した場合は、本体１０が手元になくても自由に画像管理サーバ２にアクセスすることが可能になるものである。
【００２１】
請求項５のごとく、追加保存用の台紙１０Ａを備えているので、画像管理サーバ２内に管理保存されている複数のスナップ写真等から個人の好みで印刷した写真を台紙１０Ａに追加保存することができる。この結果、各生徒独自の卒業アルバムにすることが可能になる。
【００２２】
このように本考案によると、職員等による卒業アルバムの製作を容易にし、生徒も卒業アルバムの中から好きな写真を自由に選択することができるなどといった当初の目的を達成した。
【図面の簡単な説明】
【００２３】
【図１】本考案アルバムの一実施例を示す斜視図である。
【図２】本考案アルバムの台紙を示す斜視図である。
【図３】本考案アルバムのアクセスキーと本体を示す斜視図である。
【図４】本考案アルバムの画像管理サーバを示す概念図である。
【考案を実施するための形態】
【００２４】
以下、本考案の実施例を説明する。本考案アルバムは、写真が印刷された本体１０と、スナップ写真がデータ保存された画像管理サーバ２とを備えている。
【００２５】
本体１０は、アルバム用の台紙１０Ａに写真が印刷されている。この写真は、主に、生徒の集合写真１１や校舎等の外観などが印刷される。
【００２６】
すなわち、この本体１０には、各クラスの生徒・担任・副担任からなる集合写真１１が掲載される。あるいは、入学式、卒業式、体育祭、文化祭、修学旅行、クラブ活動等の学校行事に関する集合写真１１を印刷することも可能である。また、この他、校舎、校長、教頭、担任、関係者などの写真を掲載することも可能である。
【００２７】
このように、本体１０の台紙１０Ａには、特に、共通する思い出となる集合写真１１を中心に印刷するものである。更に、個人で印刷した写真を保存するように構成された追加保存用の台紙１０Ａを備えている。
【００２８】
この追加保存用の台紙１０Ａは、集合写真１１等が印刷されていない（図３参照）。そして、追加用の台紙１０Ａの白紙部分にスナップ写真を貼り付ける手段などで保存する。例えば、追加保存用の台紙１０Ａにスナップ写真の上から貼り付けるシートなどを備えるなど、スナップ写真の固定手段は任意に選択できる。また、この追加保存用の台紙１０Ａを本体１０に、後から任意に追加できるように構成することも可能である。
【００２９】
キーカード２０は、画像管理サーバ２にアクセスするアクセスキー２１が表示されたもので、本体１０に印刷され、又は本体１０と別体に形成される（図３参照）。
【００３０】
キーカード２０を本体１０に設ける場合、図示例では台紙１０Ａに印刷しているが、本体１０の表紙や裏表紙等にキーカード２０を表示することも可能である。
【００３１】
一方、キーカード２０を本体１０と別体に形成する場合は、キーカード２０の材質やアクセスキー２１の表示形態は任意に選択することができる。また、別体に形成したキーカード２０を本体１０と一体にすることも可能である。
【００３２】
いずれにしても、各生徒は、このキーカード２０に表示されているアクセスキー２１を介して個人端末４からネットワーク１に接続し、接続された画像管理サーバ２にアクセスすることが可能になる（図４参照）。
【００３３】
画像管理サーバ２には、主に各生徒のスナップ写真がデータ保存されている。すなわち、入学式、卒業式、体育祭、文化祭、修学旅行・クラブ活動等の学校行事に関するスナップ写真が画像データとして保存されている。このスナップ写真は、職員や業者等の卒業アルバムの製作担当者が撮った写真の他、各先生や各生徒たちが撮った写真をデータ化して保存することも可能である。
【００３４】
画像管理サーバ２に保存する写真データは、学校側の学校端末３からネットワーク１を介して画像管理サーバ２に保存する。このとき、画像管理サーバ２には、複数の写真を自動編集する機能を備えることができる。また、各生徒が選択した複数のスナップ写真を自動編集し、それを個人端末４で印刷することで、各生徒に応じた卒業写真を提供することも可能になる。
【００３５】
尚、本考案の本体１０やキーカード２０等は図示例に限定されるものではなく、本考案の要旨を変更しない範囲において自由に変更できるものである。
【符号の説明】
【００３６】
１  ネットワーク
２  画像管理サーバ
３  学校端末
４  個人端末
１０  本体
１０Ａ  台紙
１１  集合写真
２０  キーカード
２１  アクセスキー
【図１】
0003234975.tif 000003
【図２】
0003234975.tif 000004
【図３】
0003234975.tif 000005
【図４】
0003234975.tif 000006